(57)【特許請求の範囲】
【請求項１】
縦方向と、前記縦方向と交差する横方向と、を有し、
排泄物を吸収する吸収体を備えた吸収性本体と、
前記吸収性本体の一端側に位置する背側胴回り部と、
前記吸収性本体の他端側に位置する腹側胴回り部と、を備え、
前記吸収性本体と前記背側胴回り部と前記腹側胴回り部は、互いに別部品であり、
前記横方向において、前記吸収性本体の幅は、前記背側胴回り部及び前記腹側胴回り部の幅よりも狭く、
前記背側胴回り部と前記腹側胴回り部との間に前記吸収性本体が架け渡されているパンツ型使い捨ておむつであって、
前記横方向における前記腹側胴回り部の中央部であって、前記縦方向における前記腹側胴回り部の上端部には切り欠きが設けられており、
腹側から見たときに、前記腹側胴回り部における前記切り欠きの外縁を含む縁部の少なくとも一部の領域と、前記背側胴回り部の少なくとも一部の領域が、前記切り欠きの外縁を境界として互いに異なる色を有しており、
前記腹側胴回り部における前記一部の領域には色が付されており、
前記色が付されている領域の前記横方向の幅は、前記吸収性本体の前記横方向の幅以下である、
ことを特徴とするパンツ型使い捨ておむつ。
【請求項２】
請求項１に記載のパンツ型使い捨ておむつであって、
前記腹側胴回り部には、前記縁部の少なくとも一部と重複するシート部材が積層されており、
腹側から見たときに、前記シート部材と前記縁部とが重複する領域と、前記背側胴回り部の少なくとも一部の領域が、前記切り欠きの外縁を境界として互いに異なる色を有している、ことを特徴とするパンツ型使い捨ておむつ。
【請求項３】
請求項２に記載のパンツ型使い捨ておむつであって、
前記シート部材は、前記腹側胴回り部に設けられたデザインシートであり、
前記デザインシートは、前記縁部と重複する領域の少なくとも一部に色が付されている、ことを特徴とするパンツ型使い捨ておむつ。
【請求項４】
請求項２に記載のパンツ型使い捨ておむつであって、
前記吸収性本体は、前記吸収体を肌側から覆うトップシートと、前記吸収体を非肌側から覆うバックシートと、を備え、
前記シート部材は、前記バックシートであり、
前記バックシートは、前記縁部と重複する領域の少なくとも一部に色が付されている、ことを特徴とするパンツ型使い捨ておむつ。
【請求項５】
請求項１に記載のパンツ型使い捨ておむつであって、
前記背側胴回り部には、前記切り欠きと相対する位置の少なくとも一部と重複するシート部材が積層されており、
腹側から見たときに、前記切り欠きと相対する位置と前記シート部材とが重複する領域と、前記縁部が、前記切り欠きの外縁を境界として互いに異なる色を有している、ことを特徴とするパンツ型使い捨ておむつ。
【請求項６】
請求項５に記載のパンツ型使い捨ておむつであって、
前記吸収性本体は、前記吸収体を肌側から覆うトップシートと、前記吸収体を非肌側から覆うバックシートと、を有し、
前記シート部材は、前記トップシートであり、
前記バックシートは、前記切り欠きと相対する位置と前記シート部材とが重複する領域の少なくとも一部に色が付されている、ことを特徴とするパンツ型使い捨ておむつ。
【請求項７】
請求項１〜６のいずれかに記載のパンツ型使い捨ておむつであって、
前記腹側胴回り部の非肌側面において、前記縁部の少なくとも一部の領域に色が付されている、ことを特徴とするパンツ型使い捨ておむつ。
【請求項８】
請求項１〜７のいずれかに記載のパンツ型使い捨ておむつであって、
前記背側胴回り部の肌側面において、前記切り欠きと相対する位置の少なくとも一部の領域に色が付されている、ことを特徴とするパンツ型使い捨ておむつ。
【請求項９】
請求項１〜８のいずれかに記載のパンツ型使い捨ておむつであって、
前記背側胴回り部は、厚さ方向に積層された肌側シート及び非肌側シートを有し、
前記非肌側シートのうち前記肌側シートの上端部より上方にはみ出した部分が、前記肌側に折り返されており、
前記非肌側シートが折り返された部分のうち、前記切り欠きと相対する位置の少なくとも一部の領域に色が付されている、ことを特徴とするパンツ型使い捨ておむつ。
【請求項１０】
請求項１〜９のいずれかに記載のパンツ型使い捨ておむつであって、
前記腹側胴回り部には、前記縁部の少なくとも一部と重複し、前記横方向に伸縮性を付与する弾性部材が設けられており、
前記弾性部材が前記縁部と重複する領域の少なくとも一部に色が付されている、ことを特徴とするパンツ型使い捨ておむつ。
【請求項１１】
請求項１〜１０のいずれかに記載のパンツ型使い捨ておむつであって、
前記腹側胴回り部における前記切り欠きの外縁を含む縁部の少なくとも一部の領域における色と、
前記背側胴回り部の少なくとも一部の領域における色と、について、
L*a*b*表色系に基づいて算出される色差が１．５以上である、ことを特徴とするパンツ型使い捨ておむつ。
【発明の詳細な説明】
【技術分野】
【０００１】
本発明は、パンツ型使い捨ておむつに関する。
【背景技術】
【０００２】
従来、パンツ型の使い捨ておむつが子供等を着用対象として広く用いられている。このパンツ型使い捨ておむつは、排泄物を吸収する吸収体を備えた吸収性本体と、吸収性本体の一端側に位置する背側胴回り部と、吸収性本体の他端側に位置する腹側胴回り部と、を備えている。このような使い捨ておむつを新生児に着用させる場合、新生児は、臍（へそ）が湿潤しているため、臍が使い捨ておむつに当たらないようにすることが要請される。例えば、特許文献１には、腹側胴回り部（前身頃）の上端縁の一部を下に凸の形態とする切り欠きを設けることで、着用時において該腹側胴回り部が新生児の臍等に当たりにくいおむつが開示されている。
【先行技術文献】
【特許文献】
【０００３】
【特許文献１】特開２０１２−１９２１１５号
【発明の概要】
【発明が解決しようとする課題】
【０００４】
一般にパンツ型使い捨ておむつは、前側（腹側）と後側（背側）とで形状、色等がほぼ同じであるため、前後の判断がつきにくい。特に、新生児用のおむつでは、サイズが小さいこともあり、腹側胴回り部（前身頃）の上端縁に設けられた切り欠きが目立ちにくく、当該切り欠きが認識されずに、おむつ１が前後を逆にして着用されてしまう等の問題が生じる場合がある。
【０００５】
本発明は、上記のような問題に鑑みてなされたものであって、その目的とするところは、腹側に切り欠きを有するパンツ型の使い捨ておむつにおいて、切り欠きを認識しやすくすることにある。
【課題を解決するための手段】
【０００６】
上記目的を達成するための主たる発明は、
縦方向と、前記縦方向と交差する横方向と、を有し、
排泄物を吸収する吸収体を備えた吸収性本体と、
前記吸収性本体の一端側に位置する背側胴回り部と、
前記吸収性本体の他端側に位置する腹側胴回り部と、を備え、
前記吸収性本体と前記背側胴回り部と前記腹側胴回り部は、互いに別部品であり、
前記横方向において、前記吸収性本体の幅は、前記背側胴回り部及び前記腹側胴回り部の幅よりも狭く、
前記背側胴回り部と前記腹側胴回り部との間に前記吸収性本体が架け渡されているパンツ型使い捨ておむつであって、
前記横方向における前記腹側胴回り部の中央部であって、前記縦方向における前記腹側胴回り部の上端部には切り欠きが設けられており、
腹側から見たときに、前記腹側胴回り部における前記切り欠きの外縁を含む縁部の少なくとも一部の領域と、前記背側胴回り部の少なくとも一部の領域が、前記切り欠きの外縁を境界として互いに異なる色を有しており、
前記腹側胴回り部における前記一部の領域には色が付されており、
前記色が付されている領域の前記横方向の幅は、前記吸収性本体の前記横方向の幅以下である、
ことを特徴とするパンツ型使い捨ておむつである。
【０００７】
本発明の他の特徴については、本明細書及び添付図面の記載により明らかにする。
【発明の効果】
【０００８】
本発明によれば、腹側に切り欠きを有するパンツ型の使い捨ておむつにおいて、当該切り欠きを認識しやすくすることができる。
【図面の簡単な説明】
【０００９】
【図１】第１実施形態に係るパンツ型の使い捨ておむつ１の概略斜視図である。
【図２】おむつ１の展開状態を表す平面図である。
【図３】図２のＡ−Ａ断面について表す概略断面図である。
【図４】図４Ａは、切り欠き４５について説明する図である。図４Ｂは、切り欠き４５の変形例について説明する図である。
【図５】図５Ａ及び図５Ｂは、腹側に設けられた別体シート部材５０の色が異なる場合の例について説明する図である。
【図６】吸収性本体１０のバックシート部材１５の腹側における一部の色が異なる場合の例について説明する図である。
【図７】吸収性本体１０のトップシート部材１３の背側における一部の色が異なる場合の例について説明する図である。
【図８】腹側胴回り部４０の非肌側において一部の領域の色が異なる場合の例について説明する図である。
【図９】背側胴回り部３０の肌側において一部の領域の色が異なる場合の例について説明する図である。
【図１０】非肌側シート３２の構成を変形した場合の例について説明するおむつ１の概略断面図である。
【図１１】糸ゴム４３ａ,４３ｂの一部の領域の色が異なる場合の例について説明する図である。
【発明を実施するための形態】
【００１０】
本明細書及び添付図面の記載により、少なくとも以下の事項が明らかとなる。
【００１１】
縦方向と、前記縦方向と交差する横方向と、を有し、排泄物を吸収する吸収体を備えた吸収性本体と、前記吸収性本体の一端側に位置する背側胴回り部と、前記吸収性本体の他端側に位置する腹側胴回り部と、を備えるパンツ型使い捨ておむつであって、前記横方向における前記腹側胴回り部の中央部であって、前記縦方向における前記腹側胴回り部の上端部には切り欠きが設けられており、腹側から見たときに、前記腹側胴回り部における前記切り欠きの外縁を含む縁部の少なくとも一部の領域と、前記背側胴回り部の少なくとも一部の領域が、前記切り欠きの外縁を境界として互いに異なる色を有している、ことを特徴とするパンツ型使い捨ておむつ。
【００１２】
このようなパンツ型使い捨ておむつによれば、腹側胴回り部の縁部と背側胴回り部とで、切り欠きの外縁を境界として互いに異なる色が視認されるようになる。これにより、縁部が目立ちやすくなるため、使用者は切り欠きの位置や形状を認識しやすくなる。また、切り欠きの存在が認識しやすくなることにより、おむつの前後を判別しやすくなる。
【００１３】
かかるパンツ型使い捨ておむつであって、前記腹側胴回り部には、前記縁部の少なくとも一部と重複するシート部材が積層されており、腹側から見たときに、前記シート部材と前記縁部とが重複する領域と、前記背側胴回り部の少なくとも一部の領域が、前記切り欠きの外縁を境界として互いに異なる色を有している、ことが望ましい。
【００１４】
このようなパンツ型使い捨ておむつによれば、腹側胴回り部の縁部と重複する部分に設けられたシート部材と背側胴回り部とで、切り欠きの外縁を境界として互いに異なる色が視認されるため、当該切り欠きを認識しやすくなる。また、シート部材の大きさや配置、色等を変更することにより、パンツ型使い捨ておむつの種類・形状・大きさ等の違いに応じて使用者が切り欠きをより認識しやすくなるようにすることができる。
【００１５】
かかるパンツ型使い捨ておむつであって、前記シート部材は、前記腹側胴回り部に設けられたデザインシートであり、前記デザインシートは、前記縁部と重複する領域の少なくとも一部に色が付されていることが望ましい。
【００１６】
このようなパンツ型使い捨ておむつによれば、縁部と重複する領域を目立たせるようなデザインを施すことで、切り欠きの位置や形状をより認識させやすくすると共に、パンツ型使い捨ておむつのデザイン性を向上させることができる。また、デザインシートを積層することによって腹側胴回り部におけるシートの枚数が多くなるため、積層された部分の強度を高めることができる。
【００１７】
かかるパンツ型使い捨ておむつであって、前記吸収性本体は、前記吸収体を肌側から覆うトップシートと、前記吸収体を非肌側から覆うバックシートと、を備え、前記シート部材は、前記バックシートであり、前記バックシートは、前記縁部と重複する領域の少なくとも一部に色が付されている、ことが望ましい。
【００１８】
このようなパンツ型使い捨ておむつによれば、吸収性本体のバックシートの一部に色を付すだけで、簡単に切り欠きの位置や形状を認識できるようにすることができる。また、バックシートとは異なる別体のシート部材を用意する必要が無いため、製造工程が複雑になることや製造コストの上昇を抑制しやすくなる。
【００１９】
かかるパンツ型使い捨ておむつであって、前記背側胴回り部には、前記切り欠きと相対する位置の少なくとも一部と重複するシート部材が積層されており、腹側から見たときに、前記切り欠きと相対する位置と前記シート部材とが重複する領域と、前記縁部が、前記切り欠きの外縁を境界として互いに異なる色を有している、ことが望ましい。
【００２０】
このようなパンツ型使い捨ておむつによれば、腹側胴回り部に設けられた切り欠きの縁部と、背側胴回り部において当該切り欠きと相対する位置に設けられたシート部材とで、切り欠きの外縁を境界として互いに異なる色が視認されるため、当該切り欠きを認識しやすくなる。また、シート部材の大きさや配置、色等を変更することにより、パンツ型使い捨ておむつの種類・形状・大きさ等の違いに応じて使用者が切り欠きをより認識しやすくなるようにすることができる。
【００２１】
かかるパンツ型使い捨ておむつであって、前記吸収性本体は、前記吸収体を肌側から覆うトップシートと、前記吸収体を非肌側から覆うバックシートと、を有し、前記シート部材は、前記トップシートであり、前記バックシートは、前記切り欠きと相対する位置と前記シート部材とが重複する領域の少なくとも一部に色が付されている、ことが望ましい。
【００２２】
このようなパンツ型使い捨ておむつによれば、吸収性本体のトップシートの一部に色を付すだけで、簡単に切り欠きの位置や形状を認識できるようにすることができる。また、トップシートとは異なる別体のシート部材を用意する必要が無いため、製造工程が複雑になることや製造コストの上昇を抑制しやすくなる。
【００２３】
かかるパンツ型使い捨ておむつであって、前記腹側胴回り部の非肌側面において、前記縁部の少なくとも一部の領域に色が付されている、ことが望ましい。
【００２４】
このようなパンツ型使い捨ておむつによれば、おむつの表面デザインの一部として色を付す等により、おむつのデザインを向上させつつ切り欠き部を認識しやすくすることができる。また、腹側胴回り部の非肌側を構成する部材（不織布）と、背側胴回り部を構成する部材（不織布）とで、互いに色の異なる部材を使用すれば、印刷等の工程を省略することができる。
【００２５】
かかるパンツ型使い捨ておむつであって、前記背側胴回り部の肌側面において、前記切り欠きと相対する位置の少なくとも一部の領域に色が付されている、ことが望ましい。
【００２６】
このようなパンツ型使い捨ておむつによれば、背側胴回り部の肌側面の一部に色を付すことで、簡単に切り欠きの位置や形状を認識できるようにすることができる。また、背側胴回り部の肌側を構成する部材（不織布）と、腹側胴回り部を構成する部材（不織布）とで、互いに色の異なる部材を使用すれば、印刷等の工程を省略することができる。
【００２７】
かかるパンツ型使い捨ておむつであって、前記背側胴回り部は、厚さ方向に積層された肌側シート及び非肌側シートを有し、前記非肌側シートのうち前記肌側シートの上端部より上方にはみ出した部分が、前記肌側に折り返されており、前記非肌側シートが折り返された部分のうち、前記切り欠きと相対する位置の少なくとも一部の領域に色が付されている、ことが望ましい。
【００２８】
このようなパンツ型使い捨ておむつによれば、非肌側シートの折り返し部分の一部に色を付すことで、簡単に切り欠きの位置や形状を認識できるようにすることができる。また、折り返された非肌側シートによって肌側シートの上端と着用者の肌とが直接接触することが抑制されるため、おむつの肌触りを良好なものにすることができる。
【００２９】
かかるパンツ型使い捨ておむつであって、前記腹側胴回り部には、前記縁部の少なくとも一部と重複し、前記横方向に伸縮性を付与する弾性部材が設けられており、前記弾性部材が前記縁部と重複する領域の少なくとも一部に色が付されている、ことが望ましい。
【００３０】
このようなパンツ型使い捨ておむつによれば、腹側胴回り部の上端付近に設けられた糸ゴム等の弾性部材の一部に色を付すことで、簡単に切り欠きの位置や形状を認識できるようにすることができる。また、予め色が付された弾性部材を使用すれば、製造過程において着色等する必要が無く、おむつを容易に製造可能であり、製造コストの上昇を抑制することができる。
【００３１】
かかるパンツ型使い捨ておむつであって、前記腹側胴回り部における前記切り欠きの外縁を含む縁部の少なくとも一部の領域における色と、前記背側胴回り部の少なくとも一部の領域における色と、について、L*a*b*表色系に基づいて算出される色差が１．５以上である、ことが望ましい。
【００３２】
このようなパンツ型使い捨ておむつによれば、２つの領域の色の違いを肉眼ではっきりと認識できるようになるため、使用者は一見して切り欠きの位置や形状を把握することが可能となり、また、前後の間違い等も生じにくくなる。
【００３３】
＝＝＝第１実施形態＝＝＝
図１は、第１実施形態に係るパンツ型の使い捨ておむつ１（以下、単に、おむつ１と呼ぶ）の概略斜視図である。図２は、おむつ１の展開状態を表す平面図である。図３は、図２のＡ−Ａ断面について表す概略断面図である。
【００３４】
このおむつ１は、主に新生児を着用対象としたパンツ型おむつであり、図１のパンツ型状態において、互いに直交する縦方向と横方向とを有する。また、図２において展開状態の横方向は図１のパンツ型状態での横方向と同義である。一方、展開状態の縦方向はパンツ型状態の縦方向に沿った方向であるが、両者は若干意味が異なる。そのため、以下の説明では、必要に応じて図２における縦方向を「展開状態での縦方向」等と呼んでパンツ型状態での縦方向特別する場合がある。また、図３に示されるように、厚さ方向に関して着用対象者に接触する側のことを「肌側」と言い、その逆側のことを「非肌側」と言う。
【００３５】
本実施の形態に係るおむつ１は、所謂３ピースタイプであり、３つの部品を有している。すなわち、このおむつ１は、第１部品として、着用者の股間部にあてがわれ尿等の排泄物を吸収する吸収性本体１０を有し、第２部品として、同着用者の背側部を覆う背側胴回り部３０を有し、第３部品として、同着用者の腹側部を覆う腹側胴回り部４０を有している。
【００３６】
図２の展開状態では、背側胴回り部３０と腹側胴回り部４０とが互いに縦方向（展開状態での縦方向）に間隔をあけて平行に並んだ状態で、これらの間に吸収性本体１０が掛け渡されている。そして、吸収性本体１０の一端部１０ａに背側胴回り部３０が、他端部１０ｂに腹側胴回り部４０が固定されており、その外観形状は平面視略Ｈ形状をなしている。換言すれば、吸収性本体１０の一端側に背側胴回り部３０が位置し、吸収性本体１０の他端側に腹側胴回り部４０が位置している。
【００３７】
そして、この状態から、吸収性本体１０が、その長手方向（つまり、縦方向）におけるおむつ１の中央（展開状態のおむつ１の縦方向における一端と他端の真ん中）の位置を折り位置として二つ折りされる。この二つ折りの状態において互いに対向する背側胴回り部３０と腹側胴回り部４０とが、横方向の接合・連結されると、これら胴回り部同士が環状に成形される。つまり、おむつ１は、背側胴回り部３０の横方向における背側両縁部３０ａと腹側胴回り部４０の横方向における腹側両縁部４０ａが連結（接合）されて形成されている。これにより、図１に示すような胴周り開口１ａ及び一対の脚周り開口１ｂが形成された着用状態のおむつ１となる。なお、本実施の形態においては、縦方向における腹側胴回り部４０の上端４０ｂの、当該縦方向における位置と、縦方向における背側胴回り部３０の上端３０ｂの、当該縦方向における位置と、を一致させた状態で、背側両縁部３０ａと腹側両縁部４０ａが連結されている。換言すれば、背側両縁部３０ａの上端と腹側両縁部４０ａの上端とが連結されている。
【００３８】
以下、３つの部品について、吸収性本体１０、腹側胴回り部４０、背側胴回り部３０の順に説明する。
【００３９】
吸収性本体１０は、着用者の股間（股下）に対応し、尿等の排泄物を吸収するためのものである。図２に示すように、吸収性本体１０は平面視長方形状を有しており、長手方向（長辺方向）が展開状態での縦方向に沿うように設けられている。そして、図３に示すように吸収性本体１０は、吸収体１１と、同吸収体１１を肌側から覆うトップシート部材１３と、同吸収体１１を非肌側から覆って吸収性本体１０の外装をなすバックシート部材１５と、を備えている。
【００４０】
吸収体１１は、液体吸収性素材を積層してなる部材（吸収性コア）であり、尿等の排泄物を吸収することができる。吸収体１１は、パルプ（パルプ繊維）と吸収性ポリマー（ＳＡＰ）とを有している。なお、本実施の形態に係る吸収体１１は、平面視略砂時計形状を有している。すなわち、展開状態の吸収体１１は、当該吸収体１１の縦方向における中央部分に、横方向の内側へ窪んだ窪み部１２を備え、当該窪み部１２において、吸収体１１の幅が最も狭くなっている。なお、窪み部１２の縦方向位置は、図２では中央よりも腹側胴回り部４０側であるが、おむつ１のサイズによっては背側胴回り部３０側となる場合もある。一方で、吸収体１１の縦方向における端部（吸収体１１の背側上端１１ａや腹側上端１１ｂ）には、窪み部１２が設けられておらず、当該端部（吸収体１１の背側上端１１ａや腹側上端１１ｂ）においては、吸収体１１の幅が最も広くなっている。本実施の形態において、吸収体１１の最大幅Ｗ１１は約１２０ｍｍである。また、吸収体１１は、ティッシュペーパーや不織布等の液透過性シートからなるコアラップ（不図示）で被覆されていても良い。
【００４１】
トップシート部材１３は、例えば吸収体１１よりも大きい平面サイズの液透過性の不織布等からなるシート部材である。バックシート部材１５は、例えば吸収体１１よりも大きい平面サイズのシート部材であり、その一例としては、ポリエチレン又はポリプロピレン等の液不透過性の防漏シート１５ａと、不織布等の外装シート１５ｂとが貼り合わされた二層構造のシートが挙げられる。そして、これらバックシート部材１５とトップシート部材１３との間に吸収体１１を挟んだ状態において、吸収体１１の四辺から外側にはみ出す部分にて、バックシート部材１５とトップシート部材１３とが額縁状に貼り合わされ、これにより、吸収性本体１０が形成されている。なお、バックシート部材１５が外装シート１５ｂを有さず、防漏シート１５ａのみによって構成されていても良い。
【００４２】
また、吸収性本体１０の横方向における両側部に位置する部位、つまり、一対のサイドフラップ２６には、縦方向に沿って伸縮するレッグギャザーＬＧ（脚周り伸縮部）がそれぞれ設けられている。レッグギャザーＬＧは、不織布により形成され、縦方向に沿って伸縮する弾性部材（具体的には、糸ゴム。便宜上、ＬＧ糸ゴム２６ａと呼ぶ）を備えている。そして、当該ＬＧ糸ゴム２６ａがサイドフラップ２６に伸縮性を付与することによって、レッグギャザーＬＧが構成される。
【００４３】
また、吸収性本体１０の横方向において、レッグギャザーＬＧ（サイドフラップ２６）よりも内側には、一対のレッグサイドギャザーＬＳＧ（立体ギャザー）が設けられている。レッグサイドギャザーＬＳＧは、吸収性本体１０の肌側に備えられ、脚繰りの隙間からの液漏れを防止する役割を果たす。レッグサイドギャザーＬＳＧは、不織布により形成されている。レッグサイドギャザーＬＳＧは、吸収性本体１０の横方向におけるレッグサイドギャザーＬＳＧの内側端部に頂点２８を備え、頂点２８及び頂点２８よりも外側の不織布が立ち上がるようになっている。また、レッグサイドギャザーＬＳＧの頂点２８には、縦方向に沿って伸縮する弾性部材（具体的には、糸ゴム。便宜上、ＬＳＧ糸ゴム２９と呼ぶ）が設けられている。
【００４４】
腹側胴回り部４０は、着用者の腹部に対応するシート状部材である。この腹側胴回り部４０は、不織布等からなる平面視長方形状のシートであり、長手方向（長辺方向）が横方向に沿うように設けられている。腹側胴回り部４０は、図３に示されるように、厚さ方向の肌側から肌側シート４１及び非肌側シート４２を二枚重ねに接合することにより形成されている。そして、腹側胴回り部４０は、吸収性本体１０の他端部１０ｂに重ねられ、接合固定されている。腹側胴回り部４０の吸収性本体１０に重ねられた部分は、横方向における腹側胴回り部４０の中央部に設けられている。
【００４５】
また、腹側胴回り部４０には、肌側シート４１や非肌側シート４２とは異なるシート部材である別体シート部材５０が厚さ方向に積層されて設けられている。図３では、別体シート部材５０が肌側シート４１と非肌側シート４２との間に挟まれて設けられているが、別体シート部材５０が非肌側シート４２よりも非肌側（つまり腹側胴回り部４０の最外装）に設けられても良いし、肌側シート４１よりも肌側に設けられていても良い。すなわち、別体シート部材５０は、腹側胴回り部４０において、吸収性本体１０よりも非肌側に設けられるシートである。本実施形態において別体シート部材５０は、フィルムや不織布等により構成され、その表面に所定の色や画像が付されたデザインシートである。このような別体シート部材５０を設けることで、おむつ１のデザイン性を向上させることができる。また、腹側胴回り部４０において別体シート部材５０が積層された領域の強度を高めることができる。本実施形態における別体シート部材５０の大きさや配置等の詳細については後で説明する。
【００４６】
腹側胴回り部４０の横方向における中央部であって、縦方向における上端４０ｂには、切り欠き４５が設けられている。この切り欠き４５は、着用者の臍（へそ）や臍に取り付けられたクリップ等がおむつ１に当たらないようにするためのものである。
【００４７】
図４Ａは、切り欠き４５について説明する図である。本実施形態に係る切り欠き４５は、おむつ１をパンツ型とした状態において、図４Ａに示されるように縦方向の下方へ湾曲した円弧状に形成されている。切り欠き４５の縦方向の深さＤ１は、腹側胴回り部４０の縦方向の上端４０ｂと切り欠き４５の縦方向の下端４５аとの間の距離で表される。すなわち、深さＤ１は、切り欠き４５の縦方向の最大長さである。本実施形態において、深さＤ１は、例えば１５ｍｍ程度である。切り欠き４５の横方向の幅Ｗ１は、腹側胴回り部４０の縦方向の上端４０ｂと切り欠き４５とが交差する点である２つの側端４５ｂの間の距離で表される。すなわち、幅Ｗ１は、切り欠き４５の横方向の最大長さである。本実施形態において、幅Ｗ１は、例えば８５ｍｍ程度である。この幅Ｗ１は、前述した吸収体１１の最大幅Ｗ１１（１２０ｍｍ）よりも小さく、切り欠き４５の側端４５ｂは、双方とも吸収体１１の最広部の側端１５よりも横方向において内側に位置している（図２参照）。
【００４８】
なお、実際の製品においては、後述する腹側糸ゴム４３等の弾性部材の作用により腹側胴回り部４０が横方向に収縮するため、製品平置きで見たときの切り欠き４５の幅Ｗ１は２０〜４０ｍｍ程度となる。但し、弾性部材の収縮度合いに応じてこれよりも広くなる場合や狭くなる場合もある。上述した深さＤ１や幅Ｗ１の長さは、腹側糸ゴム４３等の各種弾性部材による収縮力が発現していない場合において腹側胴回り部４０を平坦に延ばしたときの状態で測定される長さである。
【００４９】
腹側胴回り部４０は、切り欠き４５の外縁を含んで所定の幅を有する領域である縁部４６を有する。縁部４６は、図４Ａにおいて斜線で表示された領域であり、切り欠き４５の外縁からの距離Ｄ２の範囲に設けられている。すなわち、縁部４６は切り欠き４５の形状に沿った幅Ｄ２を有する領域である。本実施形態において、縁部４６の幅Ｄ２は切り欠き４５の深さＤ１と等しい長さである（Ｄ１＝Ｄ２）。但し、幅Ｄ２の最小値は１０ｍｍとし、深さＤ１が１０ｍｍ未満である場合は幅Ｄ２の方が深さＤ１よりも大きくなることがある（Ｄ１＜Ｄ２）。
【００５０】
また、切り欠き４５は必ずしも円弧状である必要は無く、形状に制限は無い。図４Ｂは、切り欠き４５の変形例について説明する図である。変形例の切り欠き４５は図４Ｂに示されるように深さＤ１、幅Ｗ１を有する矩形状である。この場合も、図４Ａの場合と同様に、矩形状の切り欠き４５の外縁を含む幅Ｄ２の領域に縁部４６を有する。また、このような矩形状以外にも、例えば、縦方向の下側に凸となった三角形や台形等の形状でも良い。
【００５１】
図２に戻って、腹側胴回り部４０には、横方向に沿って伸縮する弾性部材（具体的には、糸ゴム。便宜上、腹側糸ゴム４３と呼ぶ）が、縦方向に複数並んで配置されている。この腹側糸ゴム４３は、横方向に伸長された状態で腹側胴回り部４０に接着剤等により接合固定されている。そして、このことにより、腹側胴回り部４０には、横方向の伸縮性が付与され、おむつ１の胴周り開口１ａに伸縮性を与えている。
【００５２】
複数設けられる腹側糸ゴム４３のうち、腹側胴回り部４０の縦方向の上端４０ｂと最も近い位置に配置されている糸ゴム４３ａを含む所定数の糸ゴム４３は、横方向の中央側において切り欠き４５の縁部４６と重複する部分を有する。図２においては、２本の糸ゴム４３ａ，４３ｂが縁部４６と重複するように縦方向（展開状態での縦方向）に並んで配置されている。つまり、この２本の糸ゴム４３ａ，４３ｂは、双方とも切り欠き４５の下端４５ａよりも、縦方向において上方に設けられている。
【００５３】
背側胴回り部３０は、着用者の背部に対応するシート状部材である。この背側胴回り部３０は、不織布等からなる平面視長方形状のシートであり、長手方向（長辺方向）が横方向に沿うように設けられている。背側胴回り部３０は、図３に示されるように、厚さ方向の肌側から肌側シート３１及び非肌側シート３２を二枚重ねに接合することにより形成されている。そして、背側胴回り部３０は、吸収性本体１０の一端部１０ａに重ねられ、接合固定されている。背側胴回り部３０の吸収性本体１０に重ねられた部分は、横方向における背側胴回り部３０の中央部に設けられている。また、腹側胴回り部４０と同様に、背側胴回り部３０に別体シート部材５０が設けられていても良い。
【００５４】
なお、背側胴回り部３０には、腹側胴回り部４０とは異なり、切り欠き４５が設けられていない。この理由は、切り欠き４５の目的が着用者の臍（へそ）や臍に取り付けられたクリップがおむつ１に当たらないようにすることだからである。
【００５５】
背側胴回り部３０には、腹側胴回り部４０と略同様に、横方向に沿って伸縮する弾性部材（具体的には、糸ゴム。便宜上、背側糸ゴム３３と呼ぶ）が、縦方向に複数並んで配置されている（図２参照）。背側糸ゴム３３は、横方向に伸長された状態で背側胴回り部３０に接着剤等により接合固定されている。そして、このことにより、背側胴回り部３０には、横方向の伸縮性が付与され、おむつ１の胴周り開口１ａに伸縮性を与えている。
【００５６】
＜切り欠き４５の視認性について＞
おむつ１の腹側胴回り部４０には、上述したような切り欠き４５が設けられているが、当該切り欠き４５は、もともとサイズが小さく、さらに腹側糸ゴム４３による収縮性により横方向に縮んでいるため、通常状態では認識されにくい。そこで、本実施形態のおむつ１では、切り欠き４５における視認性を高めることで、使用者（着用者）が該切り欠き４５を一見して認識できるようにしている。
【００５７】
具体的に、おむつ１では、腹側から見たときに、腹側胴回り部４０に設けられた切り欠き４５の外縁を含む縁部４６の少なくとも一部の領域と、背側胴回り部３０の少なくとも一部の領域が、切り欠き４５の外縁を境界として互いに異なる色を有するようにすることで、切り欠き４５の外縁を目立ちやすくしている。これにより、使用者（着用者）は切り欠き４５の位置及び形状を認識すると共に、おむつ１の前後方向を誤りなく判別することができる。ここで、おむつ１を「腹側から見たとき」とは、パンツ型形状のおむつ１について腹側胴回り部４０と背側胴回り部３０とを平面状に重ね合せた状態において、腹側胴回り部４０の側（すなわち腹側）からおむつ１を見たときのことを言う。例えば、おむつ１の腹側を上にして机等の平面に置いた状態（製品平置き）で、上方からおむつ１を見た場合や、胴回り部４０，３０を重ね合せて横方向の外側に広げるように伸張させた状態で、腹側胴回り部４０側からおむつ１を見た場合である。
【００５８】
第１実施形態では、腹側胴回り部４０及び背側胴回り部３０の少なくとも一方において厚さ方向に積層されているシート部材の所定の部分の色を、腹側胴回り部４０及び背側胴回り部３０を構成する不織布の色と異ならせることにより、切り欠き４５の外縁を目立ちやすくしている。図５Ａ及び図５Ｂは、腹側に設けられた別体シート部材５０の色が異なる場合の例について説明する図である。
【００５９】
図５Ａでは、胴回り部に積層されるシート部材として、上述の別体シート部材５０を用いている。別体シート部材５０の横方向の幅は、切り欠き４５の幅Ｗ１よりも大きく、かつ、別体シート部材５０の縦方向の長さは、切り欠き４５の深さＤ１よりも大きく構成されている。そして、別体シート部材５０の縦方向の上端５０ｂが、腹側胴回り部４０の縦方向の上端４０ｂと重なるように配置されている。したがって、別体シート部材５０は縁部４６の全領域と厚さ方向において重複している。なお、切り欠き４５は、腹側胴回り部４０の肌側シート４１及び非肌側シート４２と、別体シート部材５０とを重ね合せた状態でカッター等を用いてこれらのシート部材を一体的にカッティングすることによって形成される。
【００６０】
そして、図５Ａでは、別体シート部材５０と縁部４６とが重複する領域（重複領域）を黒塗りで表示している。本実施形態では、この重複領域のうち少なくとも一部において、別体シート部材５０の色が背側胴回り部３０を構成する不織布の色と異なっている。例えば、図５Ａにおいて、別体シート部材５０の斜線部で表される領域全体に色が付されているとすると、黒塗りで表される縁部４６にも色が付されていることになる。これにより、おむつ１を肌側から見たときに、腹側胴回り部４０の縁部４６と、背側胴回り部３０とが切り欠き４５の外縁を境界として互いに異なる色を有することとなり、当該縁部４６が目立ちやすくなるため、使用者は切り欠き４５を認識しやすくなる。
【００６１】
なお、或る２つの領域が「互いに異なる色を有する」状態とは、比較対象となる２つの領域の色差を肉眼で視認できる状態を言う。「色差」は、測定対象となる２点（２つの領域）について市販の測色器を用いて測色を行い、ＪＩＳ Ｚ 8729等に規定されるＣＩＥ１９７６（L*a*b*）色空間に基づいて数値化した値を比較することによって求めることができる。具体的に、測定対象たる２点間のL*値の差がΔL*、a*値の差がΔa*、b*値の差がΔb*であるときに、色差ΔE*ab＝[(ΔL*)2＋(Δa*)2＋(Δb*)2]1/2によって求められる。本実施形態では、この色差ΔE*abが１．５以上、望ましくは３．０以上である場合に、「互いに異なる色を有する」ものとする。ΔE*ab値が１．５以上であれば、人間が肉眼で感知し得る程度に色が異なると言えるため、使用者は、切り欠き４５を十分に認識することができる。
【００６２】
また、シート部材の所定の領域に「色が付されている」とは、その領域に、単色やグラデーションからなる色彩が付されている場合や、文字や模様等の画像が付されることによって当該画像部分の色が不織布の素材の色と異なるような場合が含まれる。また、「色が付されている」状態を実現する際には、シート部材に印刷等を施すことによって当該シート部材が他のシート部材と異なる色を有するようにしても良いし、シート部材自体の色（例えばシート部材を構成する繊維等の素材の色）が他のシート部材と異なる色を有していのであっても良い。
【００６３】
通常の場合、おむつ１を構成する不織布は白系統の色であることを考慮すると、シート部材に色を付す際には清涼感や清潔感を持たせるために青系統の色を使用することが望ましい。また、別体シートとして有彩色のシートを使用する場合には、測定対象たる２点のうち一方を当該シートの色として、他方を当該シートの色と補色関係にある色とすると、２点間の色の違いを認識しやすくなる。
【００６４】
図５Bは、別体シート部材５０の配置が図５Ａの場合と異なる状態について表している。同図５Ｂでは、別体シート部材５０の縦方向の上端５０ｂが、腹側胴回り部４０の縦方向の上端４０ｂよりも下方に配置されている。その結果、図５Ｂの黒塗り部で表されるように、別体シート部材５０は縁部４６の下方の領域と重複し、上方の領域とは重複していない。そして、この重複領域のうち少なくとも一部において、別体シート部材５０の色が背側胴回り部３０を構成する不織布の色と異なっている。これにより、縁部４６のうち黒塗り部で表される領域の少なくとも一部と、背側胴回り部３０とが切り欠き４５の外縁を境界として互いに異なる色を有することとなり、当該縁部４６が目立ちやすくなるため、使用者は切り欠き４５を認識しやすくなる。このように、縁部４６のうちの一部でも色が異なっていれば、切り欠き４５を認識することができる。但し、縁部４６のなるべく広い範囲において色が異なっている方が、当該領域の視認性が高くなるため（図５Ａ参照）、切り欠き４５をより認識しやすくすることができる。
【００６５】
別体シート部材５０に色を付す際には、設計上、任意の領域に任意の色や画像等を付すことが可能である。そのため、縁部４６と重複する領域を目立たせるようなデザインを施すことで、切り欠き４５を効率的に認識させやすくすると共に、おむつ１のデザイン性を向上させることができる。
【００６６】
また、胴回り部に積層されるシート部材として別体シート部材５０以外の他のシート部材について所定の領域に色を付すことにより、切り欠き４５を認識しやすくすることもできる。図６は、吸収性本体１０のバックシート部材１５の腹側における一部の色が異なる場合の例について説明する図である。同図６では、吸収性本体１０の非肌側に設けられた防漏シート１５ａについて、腹側における縦方向上側端部領域（図６の斜線部で示される領域）に色が付されている。そして、この斜線で表される領域が縁部４６の少なくとも一部と重複するように、腹側胴回り部４０と防漏シート１５ａとが積層して配置されている。その結果、縁部４６のうち図６の黒塗り部で表される領域では、腹側胴回り部４０を透かして防漏シート１５ａに付された色が見えるようになる。これにより、縁部４６のうち黒塗り部で表される領域の少なくとも一部と、背側胴回り部３０とが切り欠き４５の外縁を境界として互いに異なる色を有することとなり、切り欠き４５が認識されやすくなる。
【００６７】
なお、図６の例では、吸収性本体１０（防漏シート１５ａ）の腹側における縦方向上側端部が腹側胴回り部４０の縦方向の上端４０ｂよりも下方に位置しているが、防漏シート１５ａの腹側における縦方向上側端部と腹側胴回り部４０の縦方向の上端４０ｂとの高さが同じ位置であっても良い。また、上述の例では、バックシート部材１５のうち、防漏シート１５ａに色が付される場合について説明したが、外装シート１５ｂに色が付されているのであっても良い。いずれにしても、バックシート部材１５に色を付することで、別体シート部材５０等が設けられていない場合でも、切り欠き４５を認識させやすくすることができる。また、おむつ１の製造過程においてバックシート部材１５の一部に印刷を施す等により、簡単に色を異ならせることができるため、おむつ１の製造工程が複雑にならず、製造コストの上昇も抑制することができる。
【００６８】
図７は、吸収性本体１０のトップシート部材１３の背側における一部の色が異なる場合の例について説明する図である。同図７では、吸収性本体１０の最も内側（肌側）に設けられたトップシート部材１３について、背側における縦方向上側端部領域（図７の斜線部で示される領域）に色や模様等が付されている。そして、この斜線で示される領域が、背側胴回り部３０において切り欠き４５と相対する位置の少なくとも一部と重複するように、背側胴回り部３０とトップシート部材１３とが積層して配置されている。その結果、腹側から見たときに、図７のように切り欠き４５を介してトップシート部材１３に付された色が見えるようになる。これにより、縁部４６の少なくとも一部と背側胴回り部３０とが、切り欠き４５の外縁を境界として互いに異なる色を有することとなり、切り欠き４５が認識されやすくなる。この場合も、バックシート部材１５に色を付すのと同様に、他のシート部材等を設ける必要が無く、製造コストを低くすることができる。
【００６９】
このように、おむつ１の胴回り部３０，４０にシート部材を設け、当該シート部材の所定の領域に色を付すことで、切り欠き４５の外縁を境界として異なる色が視認されるようになる。これにより、切り欠き４５の形状や位置を一見して認識しやすくなり、おむつ１の前後を判別しやすくなる。また、シート部材に付す色や、色を付す領域等を自在に変更できるため、設計の自由度が高く、おむつ１の種類・形状・大きさ等の違いに応じて使用者が切り欠き４５をより認識しやすくなるように色を異ならせることができる。
【００７０】
＝＝＝第２実施形態＝＝＝
第２実施形態では、おむつ１において、腹側胴回り部４０や背側胴回り部３０に色を付すことによって、切り欠き４５の位置や形状を認識しやすくする例について説明する。おむつ１の基本構成については、第１実施形態とほぼ同様であるため、説明を省略する。
【００７１】
図８は、腹側胴回り部４０の非肌側において一部の領域の色が異なる場合の例について説明する図である。同図８では、腹側胴回り部４０の非肌側シート４２について、非肌側面上方側の斜線部で示される領域に色が付されている。この斜線部で示される領域は、図８の黒塗り部において縁部４６と重複しているため、当該重複する部分は背側胴回り部３０と色が異なって見える。つまり、縁部４６の少なくとも一部と、背側胴回り部３０とが切り欠き４５の外縁を境界として互いに異なる色を有することとなり、切り欠き４５が認識されやすくなる。
【００７２】
なお、図８の例では、縁部４６の全領域と重複するように非肌側シート４２に色が付されているが、必ずしも縁部４６の全領域と重複する部分に色が付されている必要は無く、非肌側シート４２のうち縁部４６の一部と重複する部分に色が付されていれば良い。例えば、おむつ１の表面デザインの一部として縁部４６と重複するように色や画像を付すことにより、おむつ１のデザインを向上させることができる。また、非肌側シート４２を構成する不織布と、背側胴回り部３０を構成する不織布とで、互いに色の異なる不織布を使用するようにしても良い。このようにすれば、製造過程において印刷等の工程を省略することができるため、切り欠き部４５を認識しやすいおむつ１をより簡単に製造することができるようになる。
【００７３】
図９は、背側胴回り部３０の肌側において一部の領域の色が異なる場合の例について説明する図である。同図９では、背側胴回り部３０の肌側シート３１について、肌側面の斜線部で示される領域に色が付されている。この斜線部で示される領域が、背側胴回り部３０において切り欠き４５と相対する位置の少なくとも一部と重複している。その結果、腹側から見たときに、図９のように切り欠き４５を介して肌側シート３１に付された色が見えるようになる。これにより、縁部４６の少なくとも一部と、背側胴回り部３０とが、切り欠き４５の外縁を境界として互いに異なる色を有することとなり、切り欠き４５が認識されやすくなる。
【００７４】
また、背側胴回り部３０の非肌側シート３２の構成を変形し、該非肌側シート３２の所定の領域に色を付すようにしても良い。図１０は、非肌側シート３２の構成を変形した場合の例について説明するおむつ１（パンツ型形状）の概略断面図である。図１０に示される例では、背側胴回り部３０の非肌側シート３２の縦方向長さが肌側シート３１の縦方向長さよりも長く、非肌側シート３２の縦方向上端部が、背側胴回り部３０の縦方向上端３０ｂよりも上方にはみ出している。そして、非肌側シート３２のはみ出し部３２ｆは背側胴回り部３０の縦方向上端３０ｂの位置で肌側に折り返され、吸収性本体１０に重ねて接合されている。このように、背側胴回り部３０の縦方向上端３０ｂの領域において非肌側シート３２を折り返して重ねることにより、胴周り開口１ａの背側の強度を高くすると共に、胴周り開口１ａにおいて吸収性本体１０や肌側シート３１の上端と着用者の肌（背側）とが直接接触することを抑制し、当該胴周り開口１ａの肌触りを良好なものにすることができる。
【００７５】
非肌側シート３２を折り返して接合する際に、折り返されたはみ出し部３２ｆの肌側面に色を付す。この折り返されたはみ出し部３２ｆは、背側胴回り部３０において切り欠き４５と相対する位置に配置されている。そのため、おむつ１を腹側から見た場合、図１０の斜線部で示されるように、切り欠き４５を介して折り返されたはみ出し部３２ｆに付された色が視認できるようになる。これにより、縁部４６の少なくとも一部と、背側胴回り部３０とが、切り欠き４５の外縁を境界として互いに異なる色を有することとなり、切り欠き４５が認識されやすくなる。
【００７６】
＝＝＝第３実施形態＝＝＝
第３実施形態では、おむつ１において、腹側胴回り部４０に設けられた糸ゴム４３ａ，４３ｂの一部に色を付すことによって、切り欠き４５の位置や形状を認識しやすくする例について説明する。おむつ１の基本構成については、第１実施形態とほぼ同様であるため、説明を省略する。
【００７７】
図１１は、糸ゴム４３ａ，４３ｂの一部の領域の色が異なる場合の例について説明する図である。糸ゴム４３ａ，４３ｂは、それぞれ横方向の中央部において、切り欠き４５と交差するように設けられている。すなわち、糸ゴム４３ａ，４３ｂは、それぞれ縁部４６と一部が重複するように配置されている。図１１では、黒塗りで示される部分において糸ゴム４３ａ，４３ｂと縁部４６とが重複している。第３実施形態では、この重複する部分の一部において、糸ゴム４３ａ，４３ｂに色が付されている。これにより、縁部４６の少なくとも一部と、背側胴回り部３０とが、切り欠き４５の外縁を境界として互いに異なる色を有することとなり、切り欠き４５が認識されやすくなる。
【００７８】
また、第３実施形態で、糸ゴム４３ａ，４３ｂとして予め色等が付された弾性部材（糸ゴム）を使用すれば、おむつ１の製造過程において印刷工程等が不要となるため、製造が容易であり、また製造コストを削減することもできる。また、腹側胴回り部４０に設けられる弾性部材として、糸ゴム４３の代わりに伸縮性不織布や伸縮性ウレタン等を使用しても良い。
【００７９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱すること無く、変更や改良され得るとともに、本発明にはその等価物が含まれるのは言うまでも無い。例えば、以下に示すような変形が可能である。
【００８０】
上述の実施形態では、吸収性物品の一例として３つの部品１０，３０，４０によって構成される所謂３ピースタイプのおむつ１について説明されていたが、吸収性物品の種類はこの限りではない。例えば、腹側胴回り部４０及び背側胴回り部３０が一体的に構成された一体型の外装部材と、吸収性本体１０との２つの部品からなるパンツ型の使い捨ておむつ等にも適用可能である。この場合も、一体型外装部材の腹側胴回り部の横方向の中央部かつ縦方向の上端部に切り欠きが設けられる。そして、腹側から見たときに、腹側胴回り部における切り欠きの外縁を含む縁部の少なくとも一部の領域と、背側胴回り部の少なくとも一部の領域が、切り欠きの外縁を境界として互いに異なる色を有している。これにより、腹側胴回り部に設けられた切り欠きの位置や形状を認識しやすくなり、おむつの前後方向を間違えにくくなる。
【００８１】
上述の実施形態では、腹側胴回り部に設けられた切り欠きの縁部の色と、背側胴回り部の一部の色との違いを表す方法として、Ｌ*ａ*ｂ*表色系を用いて数値化した値について比較する例について説明されていたが、色の比較方法はこの限りではない。例えば、ＣＩＥ表色法で規定されるＸＹＺ表色系等他の表色系によって色の違いを比較しても良い。
【符号の説明】
【００８２】
１  おむつ、１ａ  胴周り開口、１ｂ  脚周り開口、
１０  吸収性本体、１０ａ  一端部、１０ｂ  他端部、
１１  吸収体、１１ａ  背側上端、１１ｂ  腹側上端、
１２  窪み部、
１３  トップシート部材、
１５  バックシート部材、１５ａ  防漏シート、１５ｂ  外装シート、
２６  サイドフラップ、２６ａ  ＬＧ糸ゴム、
２８  頂点、２９  ＬＳＧ糸ゴム、
３０  背側胴回り部、３０ａ  背側両縁部、３０ｂ  上端、
３１  肌側シート、３２  非肌側シート、３２ｆ  はみ出し部、
３３  背側糸ゴム、
４０  腹側胴回り部、４０ａ  腹側両縁部、４０ｂ  上端、４０ｃ  両側部、
４１  肌側シート、４２  非肌側シート、
４５  切り欠き、４５ａ  下端、４１ｂ  側端、
４３  腹側糸ゴム、４３ａ，４３ｂ  糸ゴム、
４６  縁部、
５０  別体シート部材、５０ｂ  上端、
ＬＧ  レッグギャザー、
ＬＳＧ  レッグサイドギャザー
【図１】
0006468960.tif 000002
【図２】
0006468960.tif 000003
【図３】
0006468960.tif 000004
【図４】
0006468960.tif 000005
【図５】
0006468960.tif 000006
【図６】
0006468960.tif 000007
【図７】
0006468960.tif 000008
【図８】
0006468960.tif 000009
【図９】
0006468960.tif 000010
【図１０】
0006468960.tif 000011
【図１１】
0006468960.tif 000012